(57)【要約】【課題】多数ノードを有するネットワーク分散環境において、ノードを構成する要素に対して、共通要素をグルーピングして運用操作を施し、その結果をグループ全体のノードに及ぼすことにある。【解決手段】  全ノードそれぞれを構成する要素から指定する要素をルート要素にし、同じ識別名の親要素を持ち、定義情報が同じ要素を子とする要素を共通ツリーにしてグルーピングし、前記要素に対する運用操作を共通ツリーの要素をもつノード全てに及ぼす運用操作端末装置を備える。【選択図】      図１
2007172537.tif 000002
【特許請求の範囲】
【請求項１】
ネットワーク分散環境における各ノードの構成要素に対して運用操作を施すネットワーク分散環境の運用操作システムであって、
前記ノードの構成要素の内、ある要素をルート要素とし、当該ルート要素配下で、同じ識別名の親要素をもち、かつ同じ定義情報を有する要素を全てのノードから抽出し、抽出した要素を前記親要素の子要素とする共通ツリーでグループ化し、当該共通ツリーの要素の定義情報に施す運用操作を前記グループ内の同じ定義情報を有する各要素に施すことを特徴とするネットワーク分散環境の運用操作システム。
【請求項２】
ネットワーク分散環境における各ノードの構成要素に対して運用操作を施すネットワーク分散環境の運用操作システムであって、
前記ノードのそれぞれの構成要素が保持する定義情報を取得する定義情報取得手段と、
ある要素をルート要素に指定し、当該ルート要素配下で同じ識別名の親要素をもち、かつ同じ定義情報を有する要素を全てのノードから抽出し、抽出した要素を前記親要素の子要素とする共通ツリーでグループ化する要素ツリー構築手段と、
前記共通ツリーで指定した要素の定義情報をグループ定義情報として表示する共通定義情報表示手段と、
前記表示したグループ定義情報に運用操作を施す表示画面操作手段と、
を備えたことを特徴とするネットワーク分散環境の運用操作システム。
【請求項３】
ネットワーク分散環境における各ノードの構成要素の内、ある要素をルート要素とし、当該ルート要素配下で、同じ識別名の親要素をもち、かつ同じ定義情報を有する要素を全てのノードから抽出し、抽出した要素を前記親要素の子要素とする共通ツリーでグループ化し、当該共通ツリーの要素の定義情報に施す運用操作を前記グループ内の同じ定義情報を有する各要素に施すことを特徴とするネットワーク分散環境の運用操作方法。
【請求項４】
ネットワーク分散環境における各ノードの構成要素が保持する定義情報を取得する定義情報取得ステップと、
ある要素をルート要素に指定し、当該ルート要素配下で同じ識別名の親要素をもち、かつ同じ定義情報を有する要素を全てのノードから抽出し、抽出した要素を前記親要素の子要素とする共通ツリーでグループ化する要素ツリー構築ステップと、
前記共通ツリーで指定した要素の定義情報をグループ定義情報として表示する共通定義情報表示ステップと、
前記表示したグループ定義情報に運用操作を施す表示画面操作ステップと、
を含むことを特徴とするネットワーク分散環境の運用操作方法。
【請求項５】
ネットワーク分散環境における各ノードの構成要素の内、ある要素をルート要素とし、当該ルート要素配下で、同じ識別名の親要素をもち、かつ同じ定義情報を有する要素を全てのノードから抽出し、抽出した要素を前記親要素の子要素とする共通ツリーでグループ化し、当該共通ツリーの要素の定義情報に施す運用操作を前記グループ内の同じ定義情報を有する各要素に施す処理を運用操作端末装置に行わせることを特徴とするプログラム。
【請求項６】
ネットワーク分散環境における各ノードの構成要素が保持する定義情報を取得する定義情報取得ステップと、
ある要素をルート要素に指定し、当該ルート要素配下で同じ識別名の親要素をもち、かつ同じ定義情報を有する要素を全てのノードから抽出し、抽出した要素を前記親要素の子要素とする共通ツリーでグループ化する要素ツリー構築ステップと、
前記共通ツリーで指定した要素の定義情報をグループ定義情報として表示する共通定義情報表示ステップと、
前記表示したグループ定義情報に運用操作を施す表示画面操作ステップと、
を運用操作端末装置に行わせることを特徴とするプログラム。
【発明の詳細な説明】
【技術分野】
【０００１】
この発明は、ネットワーク分散環境における各ノードの構成要素に施す運用操作に関し、特に、各ノードを構成する要素が同一定義情報を有するとき、該要素をルート要素にした共通ツリーをもつグループを構築し、該共通ツリーの要素の定義情報に施す運用操作を全ノードの同じ要素に対して施すことができるネットワーク分散環境の運用操作システム、ネットワーク分散環境の運用操作方法及びプログラムに関する。
【背景技術】
【０００２】
ネットワークを構成するノードの要素の階層関係をツリー構造で表し、全体を把握し易くして管理することは通常に行われている。例えば特開平２００１−２５６１５３号公報によれば、ネットワークデバイスが有する機能毎にツリービュー表示してネットワークデバイス機能の認識性を高め、また複数のデバイスを組み合わせて利用する場合、仮想的なネットワークデバイスにまとめて表現し、操作性を向上させている。
【０００３】
更に、特開２０００−１２２９８４号公報に示すように、クライアントの構成をｎ分岐ツリー構造で全構成を示す例がある。クライアントをルートエントリーにして、その下にデバイス、インタフェース、ソフトウェア、エイリアス、ソフトウェアコンフィグレーションなどがカテゴリとしてツリー分岐して全体構成を示し、ソフトウェアではアプリケーションソフトウェアの複数種別を更に分岐している。
【０００４】
【特許文献１】特開２００１−２５６１５３号公報（カラム番号００８０−００８７）
【特許文献２】特開２０００−１２２９８４号公報（カラム番号００２１、００２２）
【発明の開示】
【発明が解決しようとする課題】
【０００５】
従来、運用操作者が運用操作端末よりＧＵＩを用いた運用管理手段によって、ネットワーク分散環境のノードを構成する要素に対して運用操作を行なう場合、運用操作手段はノードの各構成要素を親子関係を基にツリー表示する。運用操作者は、該ツリー表示によって視覚的に各要素の配置や関係を確認して、要素に対する運用操作を行う。このツリー表示において、通常は親子関係に従って表示が行われるため、親子関係の最上位であるノードをルート要素にする。そのため、複数ノード間で分散している同一の要素に運用操作を施す場合、運用操作者は、それぞれのノード毎にツリー上から該当要素を検索し、設定値確認、設定値変更、要素に対する起動や停止の操作を行なうことなる。例えば３つのノードが分散している場合、運用操作手段は３回のツリー選択及び操作が必要になる。つまり、各ノードに対して、それぞれ独立した運用管理を行なう場合は、従来のノード毎のツリー表示で運用操作できるが、複数のノードに関連性する運用管理を行なう場合、それぞれの設定値を確認するのに、ノード毎にツリービューから該当要素を検索したり、操作しなければならない。この運用操作は非常に煩瑣な作業になる。
【０００６】
会社組織などでは、サーバに多数のクライアントが接続されている。それらクライアントは同一のシステム構成を有することが多い。そこで、同一構成のクライアントをグループ指定して、該グループを共通ツリー表示して、要素に運用操作を施し、運用操作の結果をグループ全体のクライアントに及ぼすと、運用管理の操作性を著しく向上させることができる。
【０００７】
この発明の目的は、ネットワーク分散環境のノードにおいて、運用操作対象の要素を全ノードに対する共通ツリーで表し、該ツリーに含まれる要素をグループにして、該要素に運用操作を施した結果をグループ全体のノードに及ぼすネットワーク分散環境の運用操作システム及びその装置及びその方法にある。
【課題を解決するための手段】
【０００８】
本発明の第１のネットワーク分散環境の運用操作システムは、ネットワーク分散環境における各ノードの構成要素に対して運用操作を施すネットワーク分散環境の運用操作システムであって、前記ノードの構成要素の内、ある要素をルート要素とし、当該ルート要素配下で、同じ識別名の親要素をもち、かつ同じ定義情報を有する要素を全てのノードから抽出し、抽出した要素を前記親要素の子要素とする共通ツリーでグループ化し、当該共通ツリーの要素の定義情報に施す運用操作を前記グループ内の同じ定義情報を有する各要素に施すことを特徴とする。
【０００９】
本発明の第２のネットワーク分散環境の運用操作システムは、ネットワーク分散環境における各ノードの構成要素に対して運用操作を施すネットワーク分散環境の運用操作システムであって、前記ノードのそれぞれの構成要素が保持する定義情報を取得する定義情報取得手段と、ある要素をルート要素に指定し、当該ルート要素配下で同じ識別名の親要素をもち、かつ同じ定義情報を有する要素を全てのノードから抽出し、抽出した要素を前記親要素の子要素とする共通ツリーでグループ化する要素ツリー構築手段と、前記共通ツリーで指定した要素の定義情報をグループ定義情報として表示する共通定義情報表示手段と、前記表示したグループ定義情報に運用操作を施す表示画面操作手段と、を備えたことを特徴とする。
【００１０】
本発明の第１のネットワーク分散環境の運用操作方法は、ネットワーク分散環境における各ノードの構成要素の内、ある要素をルート要素とし、当該ルート要素配下で、同じ識別名の親要素をもち、かつ同じ定義情報を有する要素を全てのノードから抽出し、抽出した要素を前記親要素の子要素とする共通ツリーでグループ化し、当該共通ツリーの要素の定義情報に施す運用操作を前記グループ内の同じ定義情報を有する各要素に施すことを特徴とする。
【００１１】
本発明の第２のネットワーク分散環境の運用操作方法は、ネットワーク分散環境における各ノードの構成要素が保持する定義情報を取得する定義情報取得ステップと、ある要素をルート要素に指定し、当該ルート要素配下で同じ識別名の親要素をもち、かつ同じ定義情報を有する要素を全てのノードから抽出し、抽出した要素を前記親要素の子要素とする共通ツリーでグループ化する要素ツリー構築ステップと、前記共通ツリーで指定した要素の定義情報をグループ定義情報として表示する共通定義情報表示ステップと、前記表示したグループ定義情報に運用操作を施す表示画面操作ステップと、を含むことを特徴とする。
【００１２】
本発明の第１のプログラムは、ネットワーク分散環境における各ノードの構成要素の内、ある要素をルート要素とし、当該ルート要素配下で、同じ識別名の親要素をもち、かつ同じ定義情報を有する要素を全てのノードから抽出し、抽出した要素を前記親要素の子要素とする共通ツリーでグループ化し、当該共通ツリーの要素の定義情報に施す運用操作を前記グループ内の同じ定義情報を有する各要素に施す処理を運用操作端末装置に行わせることを特徴とする。
【００１３】
本発明の第２のプログラムは、ネットワーク分散環境における各ノードの構成要素が保持する定義情報を取得する定義情報取得ステップと、ある要素をルート要素に指定し、当該ルート要素配下で同じ識別名の親要素をもち、かつ同じ定義情報を有する要素を全てのノードから抽出し、抽出した要素を前記親要素の子要素とする共通ツリーでグループ化する要素ツリー構築ステップと、前記共通ツリーで指定した要素の定義情報をグループ定義情報として表示する共通定義情報表示ステップと、前記表示したグループ定義情報に運用操作を施す表示画面操作ステップと、を運用操作端末装置に行わせることを特徴とする。
〔作用〕  ネットワーク分散環境のノードをルート要素にしてツリービューを構成するのではなく、ノードを構成する要素を指定してルート要素とし、該要素と同じ定義情報を有する要素をノードから抽出して共通ツリー表示させてグループにして複数のノードに分散している同一の要素の関係を１つのツリービューにすることができる。これにより、運用操作者が特定の要素の設定値を参照して確認する、設定値を変更する、要素に運用操作を施す、ことが該ツリーの要素を選択して、定義情報や要素に１回の運用操作で実行できる。
【発明の効果】
【００１４】
この発明の第一の効果は、ネットワーク分散環境におけるノードを構成する要素に対して運用管理の操作を行なう場合に、複数ノードに同一の定義情報を有する要素に対する運用操作が１回の実行で行なえることである。その理由は、指定する要素をルート要素にして、同一の定義情報を有する要素をツリービューに構成してグループ化し、該要素に対する運用操作をグループ内の該当する要素に及ぼすからである。
【００１５】
更に、第二の効果は、複数のノードにある要素に対して、運用管理する場合に、対象のツリーの中から探すことが容易になることである。その理由は、対象要素をルート要素として選べるからである。
【発明を実施するための最良の形態】
【００１６】
この発明を実施するための最良の形態について図面を参照して説明する。実施例であるネットワーク分散環境の運用操作システムの構成を示す図１を参照すると、運用操作システムは運用操作対象の複数のノード１１０、１２０、１３０と、ノード１１０、１２０，１３０に対して運用操作を行なう運用操作端末装置２００と、を備える。なお、この実施例ではノードの台数は３つであるが、１以上の任意数でよい。また、ノード上の要素の数も任意であり、ノード上で要素数が異なってもよい。それぞれのノード１１０，１２０，１３０，における要素５１１、５１２、５１３、５２１、５２２、５２３、５３１、５３２、５３３は、その要素の振る舞いを定義した定義情報６１１、６１２、６１３、を定義情報ファイル６１０に、定義情報６２１、６２２、６２３、を定義情報ファイル６２０に、定義情報６３１、６３２、６３３、を定義情報ファイル６３０に、それぞれ登録して保持される。
【００１７】
図２を参照すると、運用操作端末装置２００は、各ノード１１０，１２０，１３０の要素の定義情報に運用操作を施す運用操作部４００と、図示しない入出力装置に対する表示出力及び操作入力を受け渡すグラフィカルユーザインタフェース部３００と、を含む。
【００１８】
運用操作部４００は、ノード１１０，１２０，１３０から要素の定義情報を取得する定義情報取得手段４１０と、定義情報に操作を施した結果をノード１１０，１２０，１３０に配布する定義情報配布手段４２０と、指定する要素を階層関係によって、ノードをルート要素にしたノード別の個別ツリー、あるいは指定要素をルート要素にして同一定義情報をもつ要素をグループ別の共通ツリーを構築して表示する要素ツリー構築手段４３０と、ノード個別ツリー、あるいは共通ツリーの要素の定義情報を検索表示する共通定義情報表示手段４４０と、グラフィカルユーザインタフェース部３００からの運用操作によって、画面表示された定義情報に対して、参照、変更、操作、を施す表示画面操作手段４５０と、を備える。
【００１９】
図１における定義情報６１１、６１２、６１３、６２１、６２２、６２３、６３１、６３２、６３３は、図３の定義情報に示すように、要素種別７１０と、識別名７２０と、親識別名７３０と、設定情報７４０と、操作情報７６０と、を有している。要素種別７１０はその要素の種別が登録される。この実施例では「ノード」、「業務システム」、「サービス」、「アプリケーション」、「リソース」などが相当する。識別名７２０は、その要素を一意に示す名称が登録される。同一種別の要素は同一の識別名７２０を有する。つまり同一の要素種別７１０及び識別名７２０を持つ要素は同一である。親識別名７３０はその要素の階層関係における親要素の親識別名が登録される。
ルート要素の場合は最上位であるので親要素がないため、「値なし」になる。
【００２０】
設定情報７４０は、要素の動作設定の属性７４１、７４２、７４３と、それらの属性値７５１、７５２、７５３と、を有している。属性７４１に対する値が属性値７５１であり、属性７４２に対する値が属性値７５２であり、属性７４３に対する値が属性値７５３である。設定情報７４０はその要素の要素種別７１０が同一であれば同一の属性一覧を有する。ただし、属性値についてはそれぞれの要素で個別の値を有してもよい。例えば、運用操作者は、運用操作部４００を通じて、対象要素の設定情報７４０の属性７４１及び属性値７５１を参照できる。また、更新するときは、運用操作部４００を通して該当要素の属性値７５１を更新すればよい。操作情報７６０は、その要素の実行可能な運用操作を規定する操作７６１と、７６２と、７６３と、を有している。
【００２１】
操作情報７６０は、その要素の要素種別７１０が同じであれば、同一の操作が施される。例えば、要素がアプリケーションプログラムであれば、該プログラムの起動、停止、削除が一斉に操作できる。
【００２２】
要素ツリー構築手段４３０の機能について説明する。例えば、図４に示すようなノードＮＡ１４０と、ノードＮＢ１５０と、がある。ノードＮＡ１４０上では要素種別７１０に当たる「業務システム」と、それの識別名７２０に当たる「業務システムＳＡ」１４１と、それの子要素である「サービス」１４２と、「アプリケーション」１４３と、「リソース」１４４と、を含み、「サービス」１４２の子要素である「サービス１」１４２１と、「アプリケーション」１４３の子要素である「ＡＰ１」１４３１及び「ＡＰ２」１４３２と、「リソース」１４４の子要素である「リソース１」１４４１と、から構成される。
【００２３】
ノードＮＢ１５０上では、要素種別７１０に当たる「業務システム」と、それの識別名７２０である「業務システムＳＡ」１５１と、「業務システムＳＡ」１５１の子要素として「サービス」１５２及び「アプリケーション」１５３と、「リソース」１５４と、を含み、「サービス」１５２の子要素である「サービス１」１５２１及び「サービス２」１５２２と、「アプリケーション」１５３の子要素である「ＡＰ１」１５３１と、「リソース」１５４の子要素である「リソース１」１５４１及び「リソース２」１５４２と、を含む。「ノードＮＡ」１４０及び「ノードＮＢ」１５０をルート要素にして、親子関係の階層にしたがってツリー構築すると、図５に示すようなツリーが構成される。
【００２４】
「業務システムＳＡ」１４１及び１５１をルート要素に選択し、ツリー構築の結果を図６に示す。図６によれば、「業務システムＳＡ」１６１は、ノードに依存しないルート要素となり、「業務システムＳＡ」１６１の配下には、ノードＮＡ１４０及びノードＮＢ１５０の「業務システムＳＡ」１４１及び「業務システムＳＡ」１５１を構成する配下の要素を全て含む。要素種別である「サービス」１４１及び「サービス」１５２を例にすると、「ノードＮＡ」１４０では「サービス１」１４２１が定義され、「ノードＮＢ」１５０では「サービス１」１５２１及び「サービス２」１５２２が定義されている。よって、「業務システムＳＡ」１６１配下の要素種別である「サービス」１６２としてはグルーピングされて「サービス１」１６２１及び「サービス２」１６２２が定義される。要素種別である「アプリケーション」１６３では、「ＡＰ１」１６３１及び「ＡＰ２」１６３２がグルーピングされて定義される。また、要素種別の「リソース」１６４についても、「リソース１」１６４１及び「リソース２」１６４２がグルーピングされて同様に定義される。
【００２５】
このグルーピングは、定義情報取得手段４１０がノード１１０，１２０，１３０の要素の定義情報６１１、６１２、６１３、６２１、６２２、６２３、６３１、６３２、６３３を取得し、それぞれの定義情報の設定情報７４０及び操作情報７６０を同じ識別名を持つ親要素の配下にすることによってグルーピング化して設定情報、操作情報を画面表示する。
【００２６】
更に、グルーピングはその要素の上位要素であるノード１１０、１２０、１３０をルート要素にした単一グループと、ノードの指定要素をルート要素にした共通グループと、がある。例えば、ノード１１０の単一グループは、ノード１１０上で定義されている設定情報７４０及び操作情報７６０を有する。また、共通グループは、複数のノードが存在するときのみ作成し、各ノードを構成する要素で同一の種別及び識別名を有し、同じ親要素を持つ要素に対して、共通に定義された設定情報７４０及び操作情報７６０を有する。ただし設定情報７４０の各属性７４１、７４２、７４３の属性値７５１、７５２、７５３に関しては、全てのノード内の構成要素で同一の値を持つ場合のみ、その属性の属性値として扱う。同一でない場合、属性値は値なしとする。例えば、図５で示すように、構成種別７１０の「サービス」１４２の子要素である「サービス１」１４２１は、「ノードＮＡ」１４０及び「ノードＮＢ」１５０上で定義されているため、「ノードＮＡ」１４０のグループと「ノードＮＢ」１５０のグループと共通グループを有することとなり、「サービス２」１５２２は「ノードＮＢ」１５０上でしか定義されていないので、「ノードＮＢ」１５０の単一グループになる。
【００２７】
表示画面操作手段４５０による設定情報に対する運用操作について説明すると、定義情報の表示画面に対して、運用管理操作者が行なうべき運用操作をグラフィカルユーザインタフェース部３００を介して、図示しない入出力装置を操作して処理を進める。設定情報７４０の参照を行なう場合は設定情報参照処理を行い、設定情報７４０の更新を行なう場合は設定情報更新処理を行い、操作情報７６０の実行を行なう場合は運用操作処理を行う。
【００２８】
次に、この最良の形態の動作について図面を参照して説明する。運用操作を行うとき、任意の要素に対して、図８の「設定情報参照」、図９の「設定情報更新」、図１０の「運用操作」の各フローチャートを実行する運用管理端末装置２００の動作について、それぞれ説明する。なお、最初に説明する図７の「ツリー構築処理」は、運用管理端末装置２００が画面上に複数ノードの要素に対して、運用操作する対象の要素をツリー表示を行なうための処理手順であり、全ての操作に先だって行なわれる。
【００２９】
図７のフローチャートに示すツリー構築処理を説明する。運用操作端末装置２００の定義情報取得手段４１０は、全ノード１１０、１２０、１３０上で定義されているシステムを構成する要素５１１、５１２、５１３、５２１、５２２、５２３、５３１、５３２、５３３に対する定義情報６１１、６１２、６１３、６２１、６２２、６２３、６３１、６３２、６３３を取得する（図７のステップＳ１）。要素ツリー構築手段４３０は、ルート要素の要素種別７１０を決定する。このとき、設定変更や操作実行の対象要素を選択する。この実施例では「業務システム」、「サービス」、「アプリケーション」、「リソース」の内からいずれか一つを選択する（ステップＳ２）。
【００３０】
要素ツリー構築手段４３０は、ステップＳ２で選択した要素をルート要素としてそれぞれの定義情報６１１、６１２、６１３、６２１、６２２、６２３、６３１、６３２、６３３を参照し、識別名７２０及び親識別名７３０を元にツリー構築を行ない、ツリーを画面表示する。なお、ツリー構築のときにステップＳ２で選択したルート要素の親要素については考慮しない。
【００３１】
例えば、図４のようなノードＮＡ１４０上では、「業務システムＳＡ」１４１は、子要素として「サービス」１４２及び「アプリケーション」１４３並びに「リソース」１４４をもつ。「サービス」１４２の子要素として「サービス１」１４２１と、「アプリケーション」１４３の子要素として「ＡＰ１」１４３１及び「ＡＰ２」１４３２と、「リソース」１４４の子要素として「リソース１」１４４１と、から構成される。
【００３２】
ノードＮＢ１５０上では、「業務システムＳＡ」１５１は、子要素として「サービス」１５２及び「アプリケーション」１５３並びに「リソース」１５４をもつ。「サービス」１４１の子要素として「サービス１」１５２１及び「サービス２」１５２２と、「アプリケーション」１５３の子要素として「ＡＰ１」１５３１と、「リソース」１５４の子要素として「リソース１」１５４１及び「リソース２」１５４２と、から構成されている。
【００３３】
図５にノード１４０，ノード１５０をルート要素にしてツリー構築した場合を示し、図６に「業務システムＳＡ」をルート要素にしてツリー構築した場合を示す。
【００３４】
図６において、「業務システムＳＡ」１６１はノードに依存せず、ノードＮＡ１４０，ノードＮＢ１５０に共通の要素としてルート要素になり、「業務システムＳＡ」１６１の配下には、「業務システムＳＡ」１４１及び「業務システムＳＡ」１５１の配下要素を共通に含む。「サービス」１６２を例にすると、ノードＮＡ１４０では「サービス１」１４２１が定義され、ノードＮＢ１５０では「サービス１」１５２１及び「サービス２」１５２２が定義されている。したがって、「業務システムＳＡ」１６１配下の「サービス」１６２としては「サービス１」１６２１及び「サービス２」１６２２が定義される。「アプリケーション」１６３、「リソース」１６４についても同様に定義してツリー構築し、要素ツリー表示手段４４０によって、該ツリーが画面表示される（ステップＳ３）。
【００３５】
更に、要素ツリー構築手段４３０は、定義情報６１１、６１２、６１３、６２１、６２２、６２３、６３１、６３２、６３３に対して、それぞれの定義情報の設定情報７４０及び操作情報７６０をグルーピングして画面表示を行なう。グルーピングは、その要素の上位要素であるノード１１０、１２０、１３０のグループ及び共通グループからなる。例えば、ノード１１０のグループはそれぞれのノード１１０上で定義されている設定情報７４０及び操作情報７６０を有することとなる。また、共通グループは、複数のノードが存在するときのみ作成し、ノード間で共通に定義された設定情報７４０及び操作情報７６０を有する。ただし、設定情報７４０の各属性７４１、７４２、７４３の属性値７５１、７５２、７５３に関しては、全てのノード内の要素で同一の属性値を持つ場合のみ、その属性の属性値として扱う。同一の属性値でない場合、属性値は値なしとする。例えば図４で示すように、構成種別７１０が「サービス」では、識別名７２０が「サービス１」１４２１，１５２１がノードＮＡ１４０及びノードＮＢ１５０上で定義されているため、ノードＮＡ１４０のグループとノードＮＢ１５０のグループとの共通グループを有することとなり、「サービス２」はノードＮＢ上でしか定義さていないので、ノードＮＢ１５０のグループのみとなる。要素ツリー表示手段４４０によって、ノード別あるいはグループ別の設定情報が画面表示される（ステップＳ４）。運用管理操作者が運用操作を選択する（ステップＳ５）。設定情報７４０の参照を選択する場合は設定情報参照処理を行い（ステップＳ１０）、設定情報７４０の更新を選択する場合は設定情報更新処理を行い（ステップＳ２０）、操作情報７６０の実行を選択する場合は運用操作処理を行う（ステップＳ３０）。
【００３６】
図８の設定情報参照処理（ステップＳ１０）のフローチャートを参照すると、ツリー構築処理で画面表示したツリー表示から、設定情報を参照する要素を選択する（ステップＳ１１）。選択した要素をグルーピングした全ての設定情報７４０及び操作情報７６０を表示する（ステップＳ１２）。特定ノードの要素の属性を参照する場合は（ステップＳ１３）、そのノードのグループの属性及び属性値を参照する（ステップＳ１４）。全てのノードの共通要素の属性の参照を行なう場合は（ステップＳ１３）、その共通グループの属性及び属性値を参照する（ステップＳ１５）。
【００３７】
図９の設定情報更新処理（ステップＳ２０）のフローチャートを参照すると、設定情報参照処理で表示された設定情報から更新する要素を選択する（ステップＳ２１）。選択した要素をグルーピングした全ての設定情報及び操作情報を表示する（ステップＳ２２）。特定ノードの要素の属性の更新を行なう場合は（ステップＳ２３）、そのノードグループの属性及び属性値を更新する（ステップＳ２４）。全てのノードの共通要素の属性値を更新する場合は（ステップＳ２３）、その共通グループの要素の設定情報の属性及び属性値を全て更新する（ステップＳ２５）。
【００３８】
図１０の操作実行処理（ステップＳ３０）のフローチャートを参照すると、設定情報参照処理で表示された設定情報から運用操作する対象要素を選択する（ステップＳ３１）。選択された要素のグルーピングした全ての設定情報及び操作情報を表示する（ステップＳ３２）。特定ノードの要素の操作の実行を行なう場合は（ステップＳ３３）、そのノードグループの設定の実行要求を行なう（ステップＳ３４）。全てのノードの共通要素に運用操作を行なう場合は（ステップＳ３３）、その共通グループの運用操作の実行要求を行なう（ステップＳ３５）。
【産業上の利用可能性】
【００３９】
この発明は、ネットワーク分散環境における複数ノードが共通に有する要素に対して、運用操作を施す運用操作端末装置に利用できる。
【図面の簡単な説明】
【００４０】
【図１】この発明の実施の形態を示す図である。
【図２】図１の運用操作端末装置の構成を示す図である。
【図３】図１のノードの要素を定義する定義情報を示す図である。
【図４】ノードの要素構成を例示する図である。
【図５】ノードをルート要素にしたツリー構成を示す図である。
【図６】選択した要素をルート要素にしたツリー構成を示す図である。
【図７】ネットワーク分散環境におけるノードを構成する要素をツリー表示するツリー構築処理のフローチャートである。
【図８】ツリー表示された要素に対する設定情報参照処理のフローチャートである。
【図９】ツリー表示された要素に対する設定情報更新処理のフローチャートである。
【図１０】ツリー表示された要素に対する運用操作処理のフローチャートである。
【符号の説明】
【００４１】
１１０，１２０，１３０    ノード
２００    運用操作端末装置
３００    グラフィカルユーザインタフェース部
４００    運用操作部
５１１，５１２，５１３，５２１，５２２，５２３，５３１，５３２，５３３    要素
６１１，６１２，６１３，６２１，６２２，６２３，６３１，６３２，６３３，７００    定義情報
【図１】
2007172537.tif 000003
【図２】
2007172537.tif 000004
【図３】
2007172537.tif 000005
【図４】
2007172537.tif 000006
【図５】
2007172537.tif 000007
【図６】
2007172537.tif 000008
【図７】
2007172537.tif 000009
【図８】
2007172537.tif 000010
【図９】
2007172537.tif 000011
【図１０】
2007172537.tif 000012